(57)【要約】【課題】高周波特性が良好であって、大きな低周波電流容量を有する高周波チョークコイルを提供すること。【解決手段】導線が露出した状態の巻線により輪郭形状が円筒状になるように、均等に疎巻きに巻回されたコイル１と、このコイルの円筒状内部空間に複数の単位コアがスペーサ４を介して軸方向に連結され、これら単位コア２，３は少なくとも２種類の固有電気抵抗を示すものであるコアと、をそなえた高周波チョークコイル。【選択図】　図１
2004146494.tif 000002
【特許請求の範囲】
【請求項１】
導線が露出した状態の巻線により輪郭形状が円筒状になるように、均等に疎巻きに巻回されたコイルと、
このコイルの円筒状内部空間に複数の単位コアがスペーサを介して軸方向に連結され、これら単位コアは少なくとも２種類の固有電気抵抗を示すものであるコアと、
をそなえた高周波チョークコイル。
【請求項２】
請求項１記載の高周波チョークコイルにおいて、
前記コアは、両端に第１の種類のものが配され、その間に第２の種類のものが配されてなる高周波チョークコイル。
【請求項３】
請求項２記載の高周波チョークコイルにおいて、
前記コアは、前記第１の種類のものがマンガン・フェライト製であり、前記第２の種類のものがニッケル・フェライト製である高周波チョークコイル。
【発明の詳細な説明】
【０００１】
【産業上の利用分野】
本発明は、ＣＡＴＶ等の高周波信号伝送設備に使用される低周波電流通電型の高周波チョークコイルに係り、とくに大きな電流容量を持つものに関する。
【０００２】
【従来の技術】
例えばＣＡＴＶの信号伝送設備では、伝送路の途中に設置された中継増幅装置を作動させるために、同軸ケーブルにテレビジョン信号と重畳させる形で電源電力を供給している。
【０００３】
中継増幅装置への電源供給としては、１５Ａ程度の電流容量を必要としており、これに対応できるように高周波チョークコイルを構成している。
【０００４】
【特許文献１】
特願２０００−２２８８７３号公報
【０００５】
【発明が解決しようとする課題】
ここにおいて、近似における機器の容量増加等により、さらに大きな電流容量の高周波チョークコイルが必要とされている。
【０００６】
この場合に、従来の高周波チョークコイルでは、例えば電線の塗料の耐熱性等により決まる耐熱限界を超えることになる。
【０００７】
本発明は上述の点を考慮してなされたもので、高周波特性が良好であって大きな低周波電流容量を有する高周波チョークコイルを提供することを目的とする。
【０００８】
【課題を解決するための手段】
上記目的達成のため、本発明では、
導線が露出した状態の巻線により輪郭形状が円筒状になるように、均等に疎巻きに巻回されたコイルと、このコイルの円筒状内部空間に複数の単位コアがスペーサを介して軸方向に連結され、これら単位コアは少なくとも２種類の固有電気抵抗を示すものであるコアと、をそなえた高周波チョークコイル、
を提供するものである。
【０００９】
【発明の実施の形態】
図１（ａ），（ｂ）は、本発明の一実施例の外観構成を示す正面図および側面図である。そして、図２は、図１（ａ）におけるＡ−Ａ線に沿って截断した縦断面図である。これら両図により、上記実施例の構造を説明する。
【００１０】
この高周波チョークコイルは、導線を円筒状に若干の隙間を空けつつ均等に巻回して、いわゆる疎巻状態に仕上げたコイル１を形成し、このコイル１の内部空間にコアを挿入して仕上げ処理をすることにより構成する。コイル１は、例えば１．６ｍｍ径の錫メッキ銅線を内径が７−８ｍｍ程度となるように巻回して形成する。
【００１１】
コアは、固有抵抗が異なる２種類の単位コアを用意する。一般的に固有電気抵抗が低いマンガンフェライト、もしくは一般的に固有電気抵抗が高いニッケルフェライト等のフェライト単位コア中から適当なものを選択する。これらのフェライトのうちでも固有電気抵抗の低いものと高いものがあり、同材質のものの中から２種類を選択することもできる。
【００１２】
図示の場合、軸方向長が短い５個の単位コアを、誘電体製のスペーサ４を挟んで軸方向に重ねて収縮チューブ５を被せることにより、全体形状をコイル１の内部空間に収容するのに適した形状に仕上げている。
【００１３】
すなわち、５個の単位コア２，３のうち中央に配される３個のものを固有電気抵抗が高い単位コア２、両端に配される２個のものを固有電気抵抗が低い単位コア３とする。そして、両端に配される２個の低抵抗単位コア３の間に、スペーサ４を介挿しつつ３個の高抵抗単位コア２を軸方向に順次重ねていき、円筒状のコアを形成する。また、低抵抗単位コア３は筒状の構成のものを用い、高抵抗単位コア２は中実なものを用いる。
【００１４】
スペーサ４としては、ポリカーボネート等のプラスチック系誘電体が適当である。必要に応じて、セラミック材料を用いてもよい。
【００１５】
このように形成されたコアをコイル１の内部空間に挿入して、コイル１およびコア３の端部にシリコーンボンドによる端部処理６を施し、完成品とする。この完成品の外径寸法は、従来の高周波チョークコイルと置換えが可能な程度に構成されている。
【００１６】
図３ないし図６は、本発明に係る高周波チョークコイルの特性試験の結果を示したものである。
【００１７】
まず図３（ａ），（ｂ）は、従来の高周波チョークコイルおよびそれと同一仕様で本発明により構成した高周波チョークコイルとの温度上昇特性を示したものである。これら両図は、ともに高周波チョークコイルの中央部での測定温度と高周波チョークコイルを取り付けた基板中央部での測定温度とを示しており、当然ながら前者が後者よりも高い値を示している。
【００１８】
そして、図３（ａ）によれば、２５Ａタイプの場合、高周波チョークコイルの中央部温度が測定開始から３０分経過時で１６０度近く、１時間経過時で１７０度近くであり、以後はほぼ一定となる。これに対して、図３（ｂ）によれば、３０分経過時で１２０度強、１時間経過時で１４０度弱であり、３０度以上低下している。疎巻であること、および樹脂膜による被覆がないことにより熱放散機能が向上したためである。
【００１９】
また、２０Ａタイプの場合は、図３（ａ）に示す従来のものは３０分経過時が１００度弱、１時間経過時が１００度強であったのに対し、図３（ｂ）に示す本発明のものは３０分経過時が８０度強、１時間経過時が１００度弱であり、概ね１０度程度低下している。
【００２０】
基板中央における温度測定結果も同様の傾向を示している。
【００２１】
したがって、本発明による高周波チョークコイルは、従来のものよりも遥かに温度上昇が少なく、この結果、電流容量がより大きな高周波チョークコイルを提供することができる。しかも、本発明に係る高周波チョークコイルは被覆を施していないため、被覆が過熱により燃焼することがない。
【００２２】
図４は、本発明に係る高周波チョークコイルの挿入損失特性を示したものである。周波数範囲は、５ＭＨｚないし１３００ＭＨｚを測定したところ、１２００ＭＨｚまではほぼ一様に損失が増していき、１２００ＭＨｚで約１．５ｄＢ、１０００ＭＨｚならばほぼ１．０ｄＢの損失があるのみである。
【００２３】
したがって、ＴＶ信号分岐分配回路に用いるにはなんら問題がないことが分る。
【００２４】
図５は、高周波チョークコイルに商用周波電流を流したときの、高周波信号に起きるハム変調の様子を調べたものである。これは、図５から分るように、５ＭＨｚないし１０００ＭＨｚの範囲でほぼ８０−７０ｄＢより低く、実用上問題ないことが分る。
【００２５】
図６は、入出力周波数特性につき、従来のもの（Ａ）と本発明のもの（Ｂ）とを対比して示している。周波数範囲は５ＭＨｚないし１２００ＭＨｚであり、周波数が高くなるに連れて損失が増しているが、１２００ＭＨｚでも２ｄＢ弱であり、しかも従来のものでは僅かに認められる特定周波数でのトラップが生じることもなく、一様な変化を示している。
【００２６】
（変形例）
上記実施例では、コア材料としてマンガンフェライトおよびニッケルフェライトにおける、２種類の固有電気抵抗が異なるフェライトの組合せを挙げたが、コア特性を満足しかつ電気抵抗が異なるものであれば、上記の組合せに限られないことはいうまでもない。
【００２７】
【発明の効果】
本発明は上述のように、被覆なしの巻線を均等に疎巻に巻回したコイルにおける空間に、固有電気抵抗が異なる２種類以上の単位コアにより構成されたコアを組み込んで高周波チョークコイルを形成したため、従来のものに比べて温度上昇に対する耐性が高まった上に、温度上昇が低く抑えられ、より大きな低周波電流を流すことができる。しかも均等な疎巻であることは、巻線作業の単純化をもたらし製品コストの低減ができる。
【図面の簡単な説明】
【図１】本発明の一実施例の構成を示す説明図。
【図２】図１に示した実施例の内部構造を示す縦断面図。
【図３】図３（ａ）は従来の高周波チョークコイルの、図３（ｂ）は図１に示した実施例の通電による実測温度上昇特性を示す図。
【図４】図１に示した実施例の挿入損失特性を示す図。
【図５】図１に示した実施例のハム変調特性を示す図。
【図６】図１に示した実施例の入出力周波数特性を示す図。
【符号の説明】
１　コイル
２　固有電気抵抗が高い単位コア
３　固有電気抵抗が低い単位コア
４　スペーサ
５　収縮チューブ
６　端部処理
【図１】
2004146494.tif 000003
【図２】
2004146494.tif 000004
【図３】
2004146494.tif 000005
【図４】
2004146494.tif 000006
【図５】
2004146494.tif 000007
【図６】
2004146494.tif 000008